(57)【要約】【課題】吹出口に流体素子による自励発振現象に必要な循環風路が設けられた送風装置は、循環風路の形状によって循環風路内で共鳴現象が発生し、その共鳴周波数で発生するピーク騒音によって耳障りな騒音が発生するという課題があり、共鳴による耳障りな騒音を低減できる送風装置を提供することを目的とする。【解決手段】送風装置１は、流体素子ノズル部１１としての流入口１２、吹出口１３、素子主流路１４、循環風路１５を備え、素子主流路１４と循環風路１５との開口部１９に開口面積を縮小させる壁面２２を素子主流路１４の底面１６側に備えことにより、共鳴音を低減し、耳障りな騒音を低減することができる。【選択図】図２
2015063979.tif 000002
【特許請求の範囲】
【請求項１】
高圧空気を発生する羽根車とこの羽根車を駆動するモータを備えた高圧空気発生部と、前記高圧空気発生部から延設したダクトによって接続し、高圧空気を前記ダクトの流れ方向に対して垂直方向に揺動させて気流を吹き出すようにした流体素子ノズル部を備えた送風装置であって、前記流体素子ノズル部は、前記ダクトの内周面に開口して高圧空気を流入させる流入口と、外部に向けて気流が拡大する吹出口と、前記流入口と前記吹出口を連通する素子主流路と、前記素子主流路の対向する面を連通させた循環風路を備えた構成であり、前記流入口の開口形状は、ダクトの流れ方向に垂直な２辺を有する矩形状とし、前記素子主流路は、前記２辺のうちの前記高圧空気発生部側の１辺を底面に含み、その前記底面から同一方向に延設した一対の側面と、前記底面と対向する天面を備え、前記循環風路は、前記側面に対向して設けた開口部を備え、各々の前記開口部を連通した構成とし、前記開口部の形状は、前記底面側からの延設方向を長辺の方向とした長方形で形成し、前記開口部の開口面積を縮小させる壁面を前記底面側に備えたことを特徴とする送風装置。
【請求項２】
前記循環風路は、前記開口部から直線的に風路を形成した直線風路と、前記直線風路から湾曲しながら反対側の前記直線風路に連通する湾曲風路を備え、前記直線風路内に前記開口部の開口面積を縮小させる前記壁面に加えて断面積の一部を遮蔽する遮蔽部を備えたことを特徴とする請求項１に記載の送風装置。
【請求項３】
前記遮蔽部は、前記直線風路の奥行き方向に間隔をおいて複数備えたことを特徴とする請求項２に記載の送風装置。
【請求項４】
前記流体素子ノズル部は、ダクトの流れ方向に直列に複数配置し、同一の前記ダクトから各々の前記流入口に高圧空気が供給される構成であって、各々の前記開口部に設けた前記壁面は、前記ダクトの流れ方向の順に前記開口部の開口面積を縮小させる割合が小さくなるようにしたことを特徴とする請求項１から３のいずれか１項に記載の送風装置。
【発明の詳細な説明】
【技術分野】
【０００１】
本発明は、居室内の天井や壁、床面に設置され、直接気流による体感温度の減少や室内の空気の循環に使用される扇風機や天井扇などの送風装置に関するものである。
【背景技術】
【０００２】
従来、流体素子の発振原理を用いて気流を吹き出す構成として、例えば特許文献１に記載する構成が示されている。
【０００３】
以下、その流体素子吹出装置について図５を参照しながら説明する。
【０００４】
流体素子吹出装置１０１は、一端に空気を流入する矩形状の流入口１０２と、他端に流入口と平行な矩形状で、外部に向かって拡大する吹出口１０３を有している。流入口１０２と吹出口１０３を連通する断面積が矩形状の風路を形成した素子主流路１０４が設けられている。素子主流路１０４の風路内側面の一部に開口部１０５を設け、その反対側の内側面にも同様の大きさの開口部１０５を有している。素子主流路１０４の風路内に設けたそれぞれの開口部１０５をループ状に連通した循環流路１０６が設けられ、開口部１０５に接続される循環流路１０６の一部は、素子主流路１０４の流れ方向に対して略垂直に接続し、一定長の直線的な風路としての直線風路１０７を有している。
【先行技術文献】
【特許文献】
【０００５】
【特許文献１】特表平２−５０１８２０号公報
【発明の概要】
【発明が解決しようとする課題】
【０００６】
下流側に向かって拡大する吹出口に流体素子を備え、気流を発振させて吹き出す従来の吹出構成において、吹出口の上流側に自励発振作用に必要な循環風路が設けられているが、この循環風路の形状によって循環風路内で共鳴現象が発生し、その共鳴周波数で発生するピーク騒音によって耳障りな騒音が発生するという課題があった。
【０００７】
そこで本発明は、上記従来の課題を解決するものであり、共鳴現象によって特定の周波数で発生する耳障りな騒音を低減することを目的とする。
【課題を解決するための手段】
【０００８】
そして、この目的を達成するために、本発明は、高圧空気を発生する羽根車とこの羽根車を駆動するモータを備えた高圧空気発生部と、前記高圧空気発生部から延設したダクトによって接続し、高圧空気を前記ダクトの流れ方向に対して垂直方向に揺動させて気流を吹き出すようにした流体素子ノズル部を備えた送風装置であって、前記流体素子ノズル部は、前記ダクトの内周面に開口して高圧空気を流入させる流入口と、外部に向けて気流が拡大する吹出口と、前記流入口と前記吹出口を連通する素子主流路と、前記素子主流路の対向する面から各々分岐して連通させた循環風路を備えた構成であり、前記流入口の開口形状は、ダクトの流れ方向に垂直な２辺を有する矩形状とし、前記素子主流路は、前記２辺のうちの前記高圧空気発生部側の１辺を底面に含み、その前記底面から同一方向に延設した一対の側面と、前記底面と対向する天面を備え、前記循環風路は、前記側面に対向して設けた開口部を備え、各々の前記開口部を連通した構成とし、前記開口部の形状は、前記底面からの延設方向を長辺の方向とした長方形で形成し、前記開口部の開口面積を縮小させる壁面を前記底面側に備えたことを特徴とする送風装置としたものであり、これにより所期の目的を達成するものである。
【発明の効果】
【０００９】
本発明によれば、高圧空気を発生する羽根車とこの羽根車を駆動するモータを備えた高圧空気発生部と、前記高圧空気発生部から延設したダクトによって接続し、高圧空気を前記ダクトの流れ方向に対して垂直方向に揺動させて気流を吹き出すようにした流体素子ノズル部を備えた送風装置であって、前記流体素子ノズル部は、前記ダクトの内周面に開口して高圧空気を流入させる流入口と、外部に向けて気流が拡大する吹出口と、前記流入口と前記吹出口を連通する素子主流路と、前記素子主流路の対向する面を連通させた循環風路を備えた構成であり、前記流入口の開口形状は、ダクトの流れ方向に垂直な２辺を有する矩形状とし、前記素子主流路は、前記２辺のうちの前記高圧空気発生部側の１辺を底面に含み、その前記底面から同一方向に延設した一対の側面と、前記底面と対向する天面を備え、前記循環風路は、前記側面に対向して設けた開口部を備え、各々の前記開口部を連通した構成とし、前記開口部の形状は、前記底面側からの延設方向を長辺の方向とした長方形で形成し、前記開口部の開口面積を縮小させる壁面を前記底面側に備えたことを特徴とする送風装置としたことにより、流体素子の発振現象を大きく妨げることなく、開口部で発生する共鳴現象による共鳴音を低減することができるため、耳障りな騒音を低減でき、静粛性の高い送風装置を提供できる。
【図面の簡単な説明】
【００１０】
【図１】本発明の実施の形態１の送風装置の斜視図
【図２】本発明の実施の形態１の送風装置の構成を示す垂直断面図
【図３】本発明の実施の形態１のノズルユニットの水平断面図
【図４】本発明の実施の形態１の流体素子ノズル部の流入口の構成を示す部分断面斜視図
【図５】本発明の実施の形態１の流体素子ノズル部の構成を示す部分断面斜視図
【図６】従来技術の一例を示す斜視図
【発明を実施するための形態】
【００１１】
本発明の請求項１記載の送風装置は、高圧空気を発生する羽根車とこの羽根車を駆動するモータを備えた高圧空気発生部と、前記高圧空気発生部から延設したダクトによって接続し、高圧空気を前記ダクトの流れ方向に対して垂直方向に揺動させて気流を吹き出すようにした流体素子ノズル部を備えた送風装置であって、前記流体素子ノズル部は、前記ダクトの内周面に開口して高圧空気を流入させる流入口と、外部に向けて気流が拡大する吹出口と、前記流入口と前記吹出口を連通する素子主流路と、前記素子主流路の対向する面を連通させた循環風路を備えた構成であり、前記流入口の開口形状は、ダクトの流れ方向に垂直な２辺を有する矩形状とし、前記素子主流路は、前記２辺のうちの前記高圧空気発生部側の１辺を底面に含み、その前記底面から同一方向に延設した一対の側面と、前記底面と対向する天面を備え、前記循環風路は、前記側面に対向して設けた開口部を備え、各々の前記開口部を連通した構成とし、前記開口部の形状は、前記底面側からの延設方向を長辺の方向とした長方形で形成し、前記開口部の開口面積を縮小させる壁面を前記底面側に備えたことを特徴とするものである。
【００１２】
開口部に壁面を設け、開口面積を縮小したことにより、共鳴現象による共鳴音が発生して放射する開口面積が小さくなり、共鳴音を低減することができる。また、開口部に設けた壁面は底面側に設けたことで、流体素子の発振現象を大きく妨げることが無く、安定した発振を行うことができるという作用を有する。これは、ダクト内を流れる空気が流入口に流れ込む際、気流はダクトの流れ方向の速度ベクトル成分を有したまま流入口に流れ込み、素子主流路を通って吹出口から吹き出される構成であるため、素子主流路を流れる気流の中で流速が最も速くなる主流は天面側寄りになっている。したがって、開口部を通過する気流も、開口部の開口面積のうち、天面側寄りに比較的流速の速い流れが発生していることとなる。流体素子の発振現象は、素子主流路のいずれか一方の側面にコアンダ効果によって付着した気流が開口部を通過する際、気流が付着した側面に設けた開口部付近の循環流路内に生じる負圧の大きさは素子主流路を流れる気流の流速が速いほど大きくなり、気流が付着した側面の開口部付近の循環流路内の圧力（負圧）と、他方の側面の循環流路内の圧力（ほぼ大気圧）との圧力差が大きくなることで発振現象が発生しやすくなる。このことから、発振現象に大きく寄与する流速の速い開口部の天面側寄りは開口面積を減らさず、発振現象に寄与しにくい流速の遅い開口部の底面側寄りに壁面を設けて開口面積を縮小させることで発振現象を妨げることなく、共鳴音を低減することができ、耳障りな騒音を低減することができる。
【００１３】
また、本発明の請求項２記載の送風装置は、前記循環風路は、前記開口部から直線的に風路を形成した直線風路と、前記直線風路から湾曲しながら反対側の前記直線風路に連通する湾曲風路を備え、前記直線風路内に前記開口部の開口面積を縮小させる前記壁面に加えて断面積の一部を遮蔽する遮蔽部を備えたことを特徴とするもので、直線風路の断面において、断面の一部は開口部からの直線風路の風路長さが遮蔽部によって遮られるため、共鳴現象が発生する際に共鳴周波数が決まる要素となる開口部からの距離が遮蔽部を設けた部分は短くなり、風路長さが一様ではなくなる。したがって遮蔽部を設けた部分は風路長さが短くなることで遮蔽部が無い部分に比べて共鳴周波数が高くなり、共鳴周波数にずれが生じる。これにより、共鳴周波数が分散され、特定の周波数で顕著に共鳴音が発生しなくなることから耳障りな騒音を低減することができる。
【００１４】
また、本発明の請求項３記載の送風装置は、前記遮蔽部は、前記直線風路の奥行き方向に間隔をおいて複数備えたことを特徴とするもので、複数の遮蔽部毎に開口部から直線風路の風路長さが異なるため、複数の共鳴周波数に分散され、特定の周波数で顕著に共鳴音が発生しなくなり、耳障りな騒音を低減することができる。
【００１５】
また、本発明の請求項４記載の送風装置は、前記流体素子ノズル部は、ダクトの流れ方向に直列に複数配置し、同一の前記ダクトから各々の前記流入口に高圧空気が供給される構成であって、各々の前記開口部に設けた前記壁面は、前記ダクトの流れ方向の順に前記開口部の開口面積を縮小させる割合が小さくなるようにしたことを特徴とするもので、各々の流体素子ノズル部で生じる発振現象を妨げることなく、共鳴音を低減することができ、耳障りな騒音を低減することができる。詳細な作用について、以下に説明する。
【００１６】
ダクト内を流れる高圧空気は、ダクトの長手方向に配列された各々の流体素子ノズル部から順に吹き出されていくため、ダクト内を流れる高圧空気の流量は、ダクトの流れ方向に向かって徐々に減少し、それに伴ってダクト内の流速も徐々に減少していく。ダクト内を流れる気流の流速が減少することで、ダクトの流れ方向の速度ベクトル成分が小さくなるため、素子主流路を流れる気流の中で流速が最も速くなる主流が、天面側に寄らなくなっていく。したがって、開口部の天面側と底面側を通過する気流の流速差が小さくなり、均一流速に近づいていくため、流体素子ノズル部の各開口部について、ダクトの流れ方向の順に開口面積を縮小させる割合を減らしていくことで安定した発振現象を得ることができる。
【００１７】
以下、本発明の実施の形態について図面を参照しながら説明する。
【００１８】
（実施の形態１）
図１は、本発明の実施の形態の送風装置１の斜視図である。図２は、図を垂直平面により切断した断面図である。
【００１９】
図１、図２に示すように送風装置１は、高圧空気発生部２と、ノズルユニット３とを備えている。
【００２０】
高圧空気発生部２は、箱体４と、この箱体４内に設けた羽根車５と、モータ６とから構成される。
【００２１】
箱体４は、鉛直方向へ伸びた円筒形状で、上面には、円形状の連通部７を有し、下面が閉塞している。側周面の下部には、円環状に吸気口８を有する。羽根車５は、モータ６によって駆動し、大気圧以上、大気圧＋１０ｋＰａ以下の高圧空気を発生させる。
【００２２】
ノズルユニット３は、高圧空気発生部２の箱体４の上面に接続され、上方へ伸びる円筒状で、その長手方向において閉塞部９を有する。つまり、ノズルユニット３の先端を閉塞部９で塞いでいる。このノズルユニット３内の空間が高圧空気発生部２で発生させた高圧空気を送風するダクト１０となり、ノズルユニット３と長手方向を同一とした長尺の円筒状になっている。このダクト１０内の風路の一端と、箱体４内とは、連通部７を介して連通している。ノズルユニット３の一方側の側周面には、縦長四角形状の開口である流体素子ノズル部１１を備えている。
【００２３】
図３は、ノズルユニット３の横断面図である。図４は流体素子ノズル部１１の流入口１２周辺の構成を示す部分断面斜視図である。図５は、流体素子ノズル部１１の構成を示す部分断面斜視図である。
【００２４】
図３に示すように、流体素子ノズル部１１は、ダクト１０の内周面から気流を流入させる流入口１２と、外部に向けて拡大する吹出口１３と、流入口１２から吹出口１３を連通する素子主流路１４と、素子主流路１４の対向する面から各々分岐して連通させた循環風路１５を設けて、吹出口１３から吹き出す気流を水平方向である矢印方向に振動させるものである。すなわち、ダクト１０の外周側であって延設方向に対して垂直な方向で気流を振動させるものである。
【００２５】
図４に示すように、流入部１２の開口形状は、ダクト１０の流れ方向に対して垂直な２辺を短辺とした長方形としており、本実施の形態では鉛直方向が長辺、水平方向が短辺である。
【００２６】
素子主流路１４は、その２辺の短辺のうち、高圧空気発生部２側の短辺を底面１６に含み、その底面１６から上方に向かって延設した一対の側面１７と、底面１６と対向する天面１８を設けている。
【００２７】
素子主流路１４の側面１７には、対向する位置に開口部１９を設け、それぞれの開口部１９を連通するように環状の循環流路１５を設けている。
【００２８】
開口部１９の形状は、底面１６側からの延設方向、すなわち鉛直方向を長辺の方向とした長方形で形成しており、その長辺の長さは側面１７の高さとほぼ同一としている。
【００２９】
また、循環風路１５は、素子主流路１４の側面１７から直角方向に分岐し、開口部１９から一定距離の間、直線的な風路長さを有する直線風路２０と、直線風路２０から湾曲しながらダクト１０を取り巻くように配置して反対側の直線風路２０に連通する湾曲風路２１で形成している。
【００３０】
また、図５に示すように、開口部１９のダクト１０の底面１６側寄り、すなわち本実施の形態では開口部１９の下部に、開口面積を縮小させるように壁面２２を設けている。
【００３１】
吹出口１３の拡大角としては２０度から４５度程度が気流の発振が安定して得られるため望ましく、循環風路１５の長さとしては１００ｍｍから１０００ｍｍ程度が気流の発振が体感できる周波数となるため望ましい。また流体素子ノズル部１１を構成する材質としてＰＰやＡＢＳなど既知の樹脂や金属などで構成することができる。
【００３２】
以上の構成における、送風動作について説明する。まず、箱体４内に設けたモータ６によって羽根車５が駆動すると、箱体４外の空気は、箱体４の吸気口８から吸い込まれ、連通部７へ送風される。次に、この連通部７を介して、ノズルユニット３内のダクト１０に送風され、このダクト１０を介してノズルユニット３の一方側の側周面の流体素子ノズル部１１に送られる。ダクト１０の内周面に開口した流入口１２から流入した気流は、素子主流路１４を通過し、吹出口１３から箱体４の外部へ吹き出される。
【００３３】
次に流体素子の発振現象について説明する。
【００３４】
流入口１２から流入した気流は、素子主流路１４の一方の側面１７にコアンダ効果によって付着する。この付着した気流により、付着した側面１７の開口部１９付近の循環風路１５内で負圧が生じる。このとき、気流が付着していない他方の側面１７の開口部１９付近の循環風路１５内圧力は、ほぼ大気圧の状態である。すなわち、循環風路１５の両方の開口部１９付近で生じる圧力に差が生じることとなる。
【００３５】
気流が付着したことで生じた負圧は、循環風路１５内を伝播して反対側の開口部１９に伝わると、この圧力差が時間と共に小さくなり、いずれ圧力差が逆転し、気流が付着していた側面１７から反対側の側面１７に付着するように切り替わる。これが繰り返されることで自励的且つ継続的に発振現象が生じる。
【００３６】
本実施形態における特徴は、循環風路１５の開口部１９付近の形状にある。
【００３７】
開口部１９に壁面２２を設け、開口面積を縮小したことにより、共鳴現象による共鳴音が発生して放射する開口面積が小さくなり、共鳴音を低減することができるという効果がある。またこのとき、壁面２２は開口部１９の下部に設けたことで、流体素子の発振現象を大きく妨げることが無く、安定した発振を行うことができるという作用があり、所期の送風性能を維持することができるという効果もある。
【００３８】
これは、ダクト１０内を上方に向かって流れる空気がダクト１０の内周面に設けた流入口１２に流れ込む際、気流はダクト１０の流れ方向、すなわち上方に向かう速度ベクトル成分を有したまま流入口１２に流れ込む。流入口１２から流入した気流は、水平方向に流れ方向を変えながら素子主流路１４を通って吹出口１３から吹き出される構成であるため、素子主流路１４を流れる気流の中で流速が最も速くなる主流２３は天面１８側（上方）に寄った流れになっている。したがって、開口部１９を通過する気流も天面１８側寄りに比較的流速の速い流れが発生していることとなる。
【００３９】
流体素子の発振現象は、対向する開口部１９付近の循環風路１５内に生じる圧力差が大きいほど安定して発振現象が起こる。この循環風路１５内の圧力差は素子主流路１４を流れる気流の流速が速いほど大きくなることから、発振現象に大きく寄与する流速の速い開口部１９の上部は開口面積を減らさず、発振現象に寄与しにくい流速の遅い開口部１９の下部に壁面２２を設けて開口面積を縮小させることで発振現象を妨げることなく、共鳴音を低減することができ、耳障りな騒音を低減することができるという効果を発揮する。
【００４０】
更に図２に示すように、ダクト１０の流れ方向に直列に流体素子ノズル部１１を配列している構成においては、設置する壁面２２の大きさを開口部１９毎に変え、開口面積を縮小させる割合を変えている。具体的にはダクト１０の流れ方向の順に開口部１９の開口面積を縮小させる割合を徐々に小さくする方向に変化させていることが特徴である。
【００４１】
これにより、各々の流体素子ノズル部１１で生じる発振現象を妨げることなく、共鳴音を低減することができ、耳障りな騒音を低減することができる。詳細な作用について、以下に説明する。
【００４２】
ダクト１０内を流れる高圧空気は、ダクト１０の流れ方向に配列された各々の流体素子ノズル部１１から順に吹き出されていくため、ダクト１０内を流れる高圧空気の流量は、ダクト１０の流れ方向に向かって徐々に減少し、それに伴ってダクト１０内を流れる気流の流速も徐々に減少していく。ダクト１０内を流れる気流の流速が減少することで、ダクト１０の流れ方向、すなわち鉛直上向き方向の速度ベクトル成分が小さくなり、素子主流路１４を流れる気流の中で流速が最も速くなる主流２３が、天面１８側寄り（上方）に寄らなくなっていく。したがって、開口部１９を通過する気流の上下方向に対する流速差が小さくなり、均一流速に近づいていくため、流体素子ノズル部１１の各開口部１９について、ダクト１０の連通部７から流れ方向に向かって順に開口面積を縮小させる割合を減らしていくことで安定した発振現象を得ることができる。
【００４３】
具体的な開口面積の縮小割合としては、最大でも５０％程度が適当であると考えられる。一例として本実施形態ではノズルを６個配置しているものであり、最も連通部７に近い流体素子ノズル部１１の開口部１９の縮小割合を５０％とし、ダクト１０の長手方向に向かって順に開口部１９の縮小割合を４５％、４０％、３５％、３０％、２５％と段階的に小さくしている。
【００４４】
また、直線風路２０内に開口部１９の開口面積を縮小させる壁面２２に加えて断面積の一部を遮蔽する遮蔽部２４を複数設置することで共鳴音の低減効果を高めることができる。
【００４５】
図４に示すように、開口部１９の下部に設けた壁面２２の上方で且つ、開口部１９から直線風路２０の風路長さの中央辺りに壁面２２と平行な壁とした遮蔽部２４ａと、遮蔽部２４ａの上方で且つ、直線風路２０の風路長さの終端辺りに壁面２２と平行な壁とした遮蔽部２４ｂを設置している。すなわち、遮蔽部２４ｂは、遮蔽部２４ａに対して奥行き方向に間隔を置いて設置している。
【００４６】
この遮蔽部２４の材質は、流体素子ノズル部１１と同じ樹脂や金属で形成しても良いし、吸音効果のあるウレタンフォーム等で形成しても良い。
【００４７】
遮蔽部２４による共鳴音低減作用について以下に説明する。
【００４８】
遮蔽部２４ａ及び遮蔽部２４ｂによって、開口部１９の上下方向の位置によって開口部１９から直線風路２０の長さが変化するため、共鳴現象が発生する際に共鳴周波数が決まる要素となる開口部１９からの風路長さが一様ではなくなる。したがって遮蔽部２４を設けた部分は風路長さが短くなることで遮蔽部２４が無い部分に比べて共鳴周波数が高くなり、共鳴周波数にずれが生じる。これにより、共鳴周波数が分散され、特定の周波数で顕著に共鳴音が発生しなくなることから耳障りな騒音を低減することができる。また、場合によっては共鳴現象自体が抑制されることで、共鳴音が発生しなくなることも期待できる。
【００４９】
ここで、共鳴現象の詳細について以下に説明する。
【００５０】
本発明で用いる共鳴現象は、共鳴音が伴う力学的共鳴現象であり、その種類は例えば気柱共鳴とヘルムホルツ共鳴がある。
【００５１】
気柱共鳴とヘルムホルツ共鳴自体の物理現象の説明は割愛するが、それぞれの共鳴周波数を特定する因子として、開口端から直線的に伸びる風路長さＬが定義されており、本実施形態では直線風路２０の風路長さＬに当たると考えることができる。
【００５２】
共鳴周波数は、気柱共鳴の場合、長さＬが概ね１／４波長となる周波数となり、風路長さＬが小さくなると、共鳴周波数の波長が短くなるため、周波数が高くなる。また、ヘルムホルツ共鳴の場合、共鳴周波数自体は湾曲風路２１の容積や開口部１９の開口面積にもよるが、共鳴周波数と風路長さＬは反比例の関係にあり、気柱共鳴と同様に風路長さＬが小さくなると共鳴周波数は高くなる。
【００５３】
本実施形態では、遮蔽部２４は壁面２２と平行な面を有する壁としたが、壁面２２に平行でない形状としても良いし、円柱形状や凸形状の突起などであっても、同一の作用が発生し、同様の効果が得られる。
【００５４】
なお、素子主流路１４の構成において、天面１８、底面１６、側面１７の言葉を用いて説明している。流体素子ノズル部１１の配置または送風装置の設置状態によっては、天面１８と底面１６の天地が逆転した場合、または、天面１８と底面１６が左右に配置された場合といったように、その位置関係が変化することがあるが、送風装置としての作用効果に変化を生じないということは言うまでもない。
【産業上の利用可能性】
【００５５】
本発明にかかる送風装置は、流体素子技術を用いたノズル構成により、自励発振現象を用いて気流を広範囲に吹き出すことができるため、居室内の天井や壁に設置して直接気流による体感温度の減少や室内の空気の循環による快適性を向上できる送風装置や、人や物に付着した水分や異物等を気流によって除去する目的で使用される送風機器として有用である。
【符号の説明】
【００５６】
１      送風装置
２      高圧空気発生部
３      ノズルユニット
４      箱体
５      羽根車
６      モータ
７      連通部
８      吸気口
９      閉塞部
１０    ダクト
１１    流体素子ノズル部
１２    流入口
１３    吹出口
１４    素子主流路
１５    循環風路
１６    底面
１７    側面
１８    天面
１９    開口部
２０    直線風路
２１    湾曲風路
２２    壁面
２３    主流
２４    遮蔽部
２４ａ  遮蔽部
２４ｂ  遮蔽部
【図１】
2015063979.tif 000003
【図２】
2015063979.tif 000004
【図３】
2015063979.tif 000005
【図４】
2015063979.tif 000006
【図５】
2015063979.tif 000007
【図６】
2015063979.tif 000008